(57)【要約】【課題】部品点数を減少させたカメラを提供すること。【解決手段】フラッシュ導光レンズとしてフレネルレンズ５を備え、セルフタイマ専用光源としての白色ＬＥＤ６をフレネルレンズ５の側面と対向する位置に設置することにより、ストロボ光源４及び白色ＬＥＤ６から発生した光をフレネルレンズ５によりデジタルカメラ１の外方に導く。【選択図】  図１
2005024731.tif 000002
【特許請求の範囲】
【請求項１】
写真撮影時に閃光を発生させるストロボ光源と前記閃光をカメラの外方に導くフラッシュ導光レンズとを有するフラッシュ装置を備えるカメラにおいて、
前記ストロボ光源とは異なる他の光源を、該他の光源から発生した光を前記フラッシュ導光レンズにより、カメラの外方に導くことが可能な位置に設けたことを特徴とするカメラ。
【請求項２】
前記他の光源は、写真撮影を行う瞬間を被写体に伝達するための光を発生させるセルフタイマ専用光源であることを特徴とする請求項１に記載のカメラ。
【請求項３】
前記ストロボ光源は、前記フラッシュ導光レンズの下面と対向する位置に設けられ、
前記他の光源は、前記フラッシュ導光レンズの側面と対向する位置に設けられていることを特徴とする請求項１又は２に記載のカメラ
【請求項４】
前記フラッシュ導光レンズはフレネルレンズであることを特徴とする請求項１から請求項３のいずれか一項に記載のカメラ。
【請求項５】
前記他の光源はＬＥＤであることを特徴とする請求項１から請求項４のいずれか一項に記載のカメラ。
【請求項６】
写真撮影時に閃光を発生させるストロボ光源と前記閃光をカメラの外方に導くフラッシュ導光レンズとを有するフラッシュ装置において、
前記ストロボ光源とは異なる他の光源を、該他の光源から発生した光を前記フラッシュ導光レンズによりカメラの外方に導くことが可能な位置に設けたことを特徴とするフラッシュ装置。
【発明の詳細な説明】
【０００１】
【発明の属する技術分野】
本発明は、カメラ及びフラッシュ装置に係り、特に、フラッシュ装置を備えるカメラ及びフラッシュ装置に関するものである。
【０００２】
【従来の技術】
近年、非常に多くの装置・機能を備えたカメラが市販されており、なかでも撮影の瞬間に閃光を発生させるストロボ光源と前記閃光をカメラの外方に導くフラッシュ導光レンズとを有するフラッシュ装置を備えたカメラや、一定時間経過後に自動的に写真撮影を行うセルフタイマ機能を備えたカメラがよく知られている。
【０００３】
このセルフタイマ機能の中には、カメラが写真撮影を行う瞬間を、光の点灯、点滅で被写体に伝達するものがあり、セルフタイマ専用の発光素子を備えたカメラが開発されている。
【０００４】
このようなセルフタイマ専用の発光素子を備えるカメラの中には、特許文献１に示すように、セルフタイマ専用の導光レンズとフラッシュ導光レンズとを別々に備えるものがある。
【０００５】
【特許文献１】
特開平０５―１５０２９７号公報
【０００６】
【発明が解決しようとする課題】
しかしながら、フラッシュ導光レンズと他の光源専用の導光レンズ等を別々に設けること、つまり別々の光源に対して別々の導光レンズ等を設けることは製造工程の複雑化、部品点数の増加をもたらす原因となっている。
【０００７】
本発明は前記した点に鑑みなされたものであり、部品点数を減少させたカメラを提供することを目的とするものである。
【０００８】
【課題を解決するための手段】
上記課題を解決するため、請求項１に記載の発明は、写真撮影時に閃光を発生させるストロボ光源と前記閃光をカメラの外方に導くフラッシュ導光レンズとを有するフラッシュ装置を備えるカメラにおいて、前記ストロボ光源とは異なる他の光源を、該他の光源から発生した光を前記フラッシュ導光レンズにより、カメラの外方に導くことが可能な位置に設けたことを特徴としている。
【０００９】
このような構成を有する請求項１に記載の発明においては、ストロボ光源と異なる他の光源から発生した光をフラッシュ導光レンズによりカメラの外方に導くことができる。
【００１０】
また、請求項２に記載の発明は、請求項１に記載のカメラにおいて、前記他の光源は、写真撮影を行う瞬間を被写体に伝達するための光を発生させるセルフタイマ専用光源であることを特徴としている。
【００１１】
このように、請求項２に記載の発明は、他の光源としてセルフタイマ専用光源を備え、ストロボ光源とセルフタイマ専用光源とは発光タイミングが区別できるので、セルフタイマ専用光源から発生した光をフラッシュ導光レンズによりカメラの外方に導くことができる。
【００１２】
さらに、請求項３に記載の発明は、請求項１又は２に記載のカメラにおいて、前記ストロボ光源は、前記フラッシュ導光レンズの下面と対向する位置に設けられ、前記他の光源は、前記フラッシュ導光レンズの側面と対向する位置に設けられていることを特徴としている。
【００１３】
このように、請求項３に記載の発明は、前記ストロボ光源は、前記フラッシュ導光レンズの下面と対向する位置に設けられ、前記他の光源は、前記フラッシュ導光レンズの側面と対向する位置に設けられているので、一方の光源から発生した光は、他方の光源の形態に妨げられることなく、フラッシュ導光レンズに到達することができ、フラッシュ導光レンズによりカメラの外方に導くことができる。
【００１４】
また、請求項４に記載の発明は、請求項１から請求項３のいずれか一項に記載のカメラにおいて、前記フラッシュ導光レンズはフレネルレンズであることを特徴としている。
【００１５】
このように、請求項４に記載の発明は、平面部にプリズムの集合体を配置したフレネルレンズをフラッシュ導光レンズとして備えているので、前記他の光源から発生した光をフレネルレンズによりカメラの外方に導くことができる。
【００１６】
また、請求項５に記載の発明は、請求項１から請求項４のいずれか一項に記載のカメラにおいて、前記他の光源はＬＥＤであることを特徴としている。
【００１７】
このように、請求項５に記載の発明は、他の光源としてＬＥＤ（ｌｉｇｈｔ−ｅｍｉｔｔｉｎｇ  ｄｉｏｄｅ）を備えているので、前記ＬＥＤから発生した光をフラッシュ導光レンズによりカメラの外方に導くことができる。
【００１８】
また請求項６に記載の発明は、写真撮影時に閃光を発生させるストロボ光源と前記閃光をカメラの外方に導くフラッシュ導光レンズとを有するフラッシュ装置において、前記ストロボ光源とは異なる他の光源を、該他の光源から発生した光を前記フラッシュ導光レンズによりカメラの外方に導くことが可能な位置に設けたことを特徴としている。
【００１９】
このように、請求項６に記載の発明は、ストロボ光源と異なる他の光源から発生した光をフラッシュ導光レンズによりカメラの外方に導くことができる。
【００２０】
【発明の実施の形態】
以下、本発明の実施の形態を図１から図３を参照しながら説明する。
本実施形態における横長のデジタルカメラ１の正面の角部には、撮影レンズ２が設けられており、デジタルカメラ１内部には、この撮影レンズ２からの光学像を光電変換する図示しないＣＣＤ（Ｃｈａｒｇｅ  Ｃｕｐｌｅｄ  Ｄｅｖｉｃｅ）撮像素子が設けられている。またカメラ１の正面上端側であって撮影レンズ２の近傍には、略長円形の枠３ａが設けられている。
【００２１】
デジタルカメラ１の内部であって枠３ａと対向する位置には、写真撮影時に被写体に閃光を当てるためのフラッシュ装置３が備えられている。このフラッシュ装置３には、閃光を発生させるストロボ光源４が設けられており、また前記枠３ａには、ストロボ光源４から発生した光をデジタルカメラ１の外方に導くためのフラッシュ導光レンズとして略平板状に形成されたフレネルレンズ５が取り付けられている。このフレネルレンズ５は平面部にプリズムの集合体を配置したものであり、各プリズムの角度が設計されることにより、フレネルレンズ５はストロボ光源４から発生した閃光を強い光のままデジタルカメラ１の外方に拡散させるようになっている。
【００２２】
またデジタルカメラ１には、セルフタイマ機能が備えられ、セルフタイマ機能は、一定時間経過後に自動的に撮影を行い画像を記録するようになっている。またセルフタイマ機能には、撮影を行う瞬間を被写体に光の点灯・点滅で伝達するようになっている。このセルフタイマ機能の前記光は、デジタルカメラ内部に設けられたセルフタイマ専用光源から発生するようになっている。
【００２３】
このセルフタイマ専用光源は白色ＬＥＤ６であり、この白色ＬＥＤ６は、前記フレネルレンズ５の側面と対向する位置に配置されている。この白色ＬＥＤ６から発生した光は、フレネルレンズ５の平面部及びプリズムの集合体に入射することによりデジタルカメラ１の外方に導かれるようになっている。
【００２４】
次に本実施の形態における作用について説明する。
まず、デジタルカメラ１の使用者は、セルフタイマ機能を動作させ、一定時間経過後に自動的に撮影を行なわせるようにする。またその際にセルフタイマ機能により、白色ＬＥＤ６からの光が点灯・点滅する。
【００２５】
白色ＬＥＤ６から発生した光は、フレネルレンズ５の平面部及びプリズムの集合体に入射することによりデジタルカメラ１の外方に導かれ、被写体は前記光により撮影が行われる瞬間が伝達される。デジタルカメラ１が撮影を行う瞬間に、ストロボ光源４から閃光が発生し、前記フレネルレンズ５により閃光が被写体に照射され、デジタルカメラ１は写真撮影を行う。
【００２６】
本実施形態によれば、フレネルレンズ５により、ストロボ光源４及び白色ＬＥＤ６から発生した光をデジタルカメラ１の外方に導くので、セルフタイマ光源専用の導光レンズ等を設けずとも、白色ＬＥＤ６から発生した光をカメラ１の外方に導くことができる。
【００２７】
そのため、フラッシュ導光レンズとセルフタイマ専用光源の導光レンズ等とを別々に設けるという製造工程の複雑化を解消することができ、また部品点数を減らすことができるという効果がある。
【００２８】
なお、本実施形態では、単にセルフタイマ機能に設けられた白色ＬＥＤ６から発生した光をフレネルレンズ５によりデジタルカメラ１の外方に導くとする構成としたが、本実施形態はこれに限られず、例えば、マクロ撮影時におけるストロボ補助光源から発生する光をフラッシュ導光レンズによりデジタルカメラ１の外方に導くとする構成としてもよい。また同様に動画撮影時の動画撮影用光源から発生する光をフラッシュ導光レンズによりデジタルカメラ１の外方に導くとする構成としてもよい。また、本実施形態では、セルフタイマ専用光源として白色ＬＥＤ６を備える構成としたが、発光色や光源の種類はこれに限られない。
【００２９】
【発明の効果】
以上説明したように、請求項１に記載の発明によれば、ストロボ光源とは異なる他の光源から発生した光をフラッシュ導光レンズによりカメラの外方に導くことができる。そのため、別々の光源に対して別々の導光レンズ等を設けるという製造工程の複雑化を解消でき、また部品点数を減らすことができるという効果がある。
【００３０】
請求項２に記載の発明では、他の光源としてセルフタイマ専用光源を備え、ストロボ光源とセルフタイマ専用光源とは発光タイミングが区別できるので、セルフタイマ専用光源から発生した光をフラッシュ導光レンズによりカメラの外方に導くことができる。
そのため、セルフタイマ機能の使用時に被写体は写真撮影が行われる瞬間をセルフタイマ専用光源から発生した光により伝達されという効果がある。また請求項１と同様の効果が得られる。
【００３１】
請求項３に記載の発明では、前記ストロボ光源を前記フラッシュ導光レンズの下面と対向する位置に設け、前記他の光源を、前記フラッシュ導光レンズの側面と対向する位置に設けているので、一方の光源から発生した光は、他方の光源の形態に妨げられることなく、フラッシュ導光レンズに到達することができ、フラッシュ導光レンズによりカメラの外方に導くことができるという効果がある。
【００３２】
請求項４に記載の発明では、平面部にプリズムの集合体を配置したフレネルレンズをフラッシュ導光レンズとして備えているので、他の光源から発生した光をフレネルレンズのレンズ面及びレンズ内で反射・拡散させ、フレネルレンズによりカメラの外方に導くことができるという効果がある。
【００３３】
請求項５に記載の発明では、他の光源としてＬＥＤ（ｌｉｇｈｔ−ｅｍｉｔｔｉｎｇ  ｄｉｏｄｅ）を備えているので、ＬＥＤから発生した光をフラッシュ導光レンズによりカメラの外方に導くことができるという効果がある。
【００３４】
請求項６に記載の発明によれば、ストロボ光源と異なる他の光源から発生した光をフラッシュ導光レンズによりカメラの外方に導くことができる。
【図面の簡単な説明】
【図１】本発明に係るカメラの実施形態の全体を示す正面図である。
【図２】本発明に係るカメラの実施形態の一部を示す正面縦断面図である。
【図３】本発明に係るカメラの実施形態の一部を示す正面横断面図である。
【符号の説明】
１  カメラ
２  撮影レンズ
３  フラッシュ装置
４  ストロボ光源
５  フレネルレンズ
６  白色ＬＥＤ
【図１】
2005024731.tif 000003
【図２】
2005024731.tif 000004
【図３】
2005024731.tif 000005